(57)【要約】【課題】暖房運転を停止することなく霜取りが行えるようにしたヒートポンプ装置を提供する。【解決手段】冷媒を圧縮する圧縮機１と、圧縮され温度上昇した冷媒と熱媒体とを熱交換する冷媒熱交換器２と、膨張弁等の減圧手段３と、空気から熱を奪う空気熱交換器４と送風ファン７とが設けられた冷媒回路６で、前記空気熱交換器４は送風ファン７で外気を吸引することにより熱交換をする構成としたもので、前記空気熱交換器４と送風ファン７との間には電気ヒータ８を備え、この空気熱交換器４への霜付着危険時には電気ヒータ８に通電すると共に、送風ファン７を逆回転させるようにしたもので、効率よく確実に霜取りが行え、暖房や湯沸かし運転に影響がなく良好に継続されるものである。【選択図】  図１
2007170695.tif 000002
【特許請求の範囲】
【請求項１】
冷媒を圧縮する圧縮機と、圧縮され温度上昇した冷媒と熱媒体とを熱交換する冷媒熱交換器と、膨張弁等の減圧手段と、空気から熱を奪う空気熱交換器と送風ファンとが設けられた冷媒回路で、前記空気熱交換器は送風ファンで外気を吸引することにより熱交換をする構成としたものに於いて、前記空気熱交換器と送風ファンとの間には電気ヒータを備え、この空気熱交換器への霜付着危険時には電気ヒータに通電すると共に、送風ファンを逆回転させる事を特徴とするヒートポンプ装置。
【請求項２】
前記霜付着危険時は、外気温センサの検知温度で判断する事を特徴とする請求項１記載のヒートポンプ装置。
【請求項３】
前記冷媒を、二酸化炭素冷媒とした事を特徴とする請求項１記載のヒートポンプ装置。
【発明の詳細な説明】
【技術分野】
【０００１】
この発明は、暖房或いは湯沸かし運転時の霜取り運転を防止したヒートポンプ装置に関するものである。
【背景技術】
【０００２】
従来よりこの種のものでは、冬期運転中に空気熱交換器に霜が付着することで、冷媒熱交換器での暖房や湯沸かし運転を停止させて、デフロスト（霜取り）運転を行わなければならないものであった。（例えば、特許文献１参照。）
【特許文献１】特開平５−２６５４４号公報
【発明の開示】
【発明が解決しようとする課題】
【０００３】
ところでこの従来のものでは、デフロスト運転中は暖房或いは湯沸かし運転停止されるので、この間は暖房或いは湯沸かしが出来ず、極めて使用勝手が悪いものであった。
【課題を解決するための手段】
【０００４】
この発明はこの点に着目し上記欠点を解決する為、特にその構成を、請求項１では、冷媒を圧縮する圧縮機と、圧縮され温度上昇した冷媒と熱媒体とを熱交換する冷媒熱交換器と、膨張弁等の減圧手段と、空気から熱を奪う空気熱交換器と送風ファンとが設けられた冷媒回路で、前記空気熱交換器は送風ファンで外気を吸引することにより熱交換をする構成としたものに於いて、前記空気熱交換器と送風ファンとの間には電気ヒータを備え、この空気熱交換器への霜付着危険時には電気ヒータに通電すると共に、送風ファンを逆回転させるようにしたものである。
【０００５】
又請求項２では、前記霜付着危険時は、外気温センサの検知温度で判断するようにしたものである。
【０００６】
又請求項３では、前記冷媒を、二酸化炭素冷媒としたものである。
【発明の効果】
【０００７】
この発明の請求項１によれば、デフロスト運転はせずに、空気熱交換器の霜取りは電気ヒータの発熱で行うので、暖房や湯沸かしが途中で中断することがなく、極めて使用勝手が良いものであり、更に電気ヒータの熱は送風ファンの逆回転で空気熱交換器へ向かって送風され、効率よく確実に霜取りが行え、暖房や湯沸かし運転に影響がなく良好に継続されるものである。
【０００８】
又請求項２によれば、外気温センサで確実に霜付着危険温度を検知出来、無駄な通電を防止出来るものである。
【０００９】
又請求項３によれば、冷媒を二酸化炭素としたことにより、冷媒熱交換器で高温度での熱交換が行え、高温度の暖房や湯沸かしが行え、使用勝手が良いものである。
【発明を実施するための最良の形態】
【００１０】
次にこの発明の一実施形態について図面に基づいて説明する。
１は冷媒を圧縮する圧縮機で、凝縮器としての冷媒熱交換器２、電子膨張弁等からなる減圧手段３、蒸発器としての空気熱交換器４、アキュムレータ５を順に接続して冷媒回路６を構成するものであり、送風ファン７の吸引による送風を受けて空気熱交換器４で空気から熱を奪い、冷媒熱交換器２で放熱して水を加熱するものである。
【００１１】
前記空気熱交換器４と送風ファン７との間には電気ヒータ８を備え、器具外に位置された外気温センサ９が空気熱交換器４に霜が付着する危険温度を検知することで、制御回路１０に信号を送り、該制御回路１０が電気ヒータ８を通電させると共に、送風ファン７を逆回転させて電気ヒータ８の発生する熱を空気熱交換器４へ送風するものである。
【００１２】
１１は暖房用の放熱器で、往き管１２及び戻り管１３の循環回路１４により前記冷媒熱交換器２と連通し、循環回路１４途中に備えた循環ポンプ１５で加熱された温水を循環させて、放熱器１１で室内に放熱して暖房を行うものである。
【００１３】
次にこの一実施形態の作動について説明すれば、空気熱交換器４で送風ファン７の吸引による送風で空気の熱を奪い、圧縮機１で圧縮されることで奪った熱を更に高温にした状態で、冷媒熱交換器２に流入させることで、該冷媒熱交換器２で冷媒の二酸化炭素が超臨界状態となって、循環回路１４を循環する水を最高で９０℃程度の高い温度まで加熱することが可能なものである。
【００１４】
そして、冷媒熱交換器２で加熱された温水は放熱器１１に循環し、ここで放熱して室内を暖房するものであり、放熱で温度降下した循環水は循環ポンプ１５で再び冷媒熱交換器２に流通して加熱され、順次これを繰り返して室内の暖房を行うものである。
【００１５】
更に冬期では、空気熱交換器４に霜が付く恐れがあるが、ここでは外気温センサ９が霜が付く恐れのある危険温度を検知することで、制御回路１０に信号を送り電気ヒータ８を通電させると共に、送風ファン７を逆回転させて、送風ファン７によって電気ヒータ８から発生する熱を空気熱交換器４へ送風して、空気熱交換器４全体を短時間に加熱し、確実に霜の付着を阻止することが出来るものである。
【００１６】
又外気温センサ９が高温側の所定温度以上を検知することで、一旦電気ヒータ８の通電を停止し、送風ファン７も正常回転させるが、再び外気温センサ９が霜が付く恐れのある危険温度を検知すれば、電気ヒータ８に通電及び送風ファン７は逆回転され順次これを繰り返して、霜付きを確実に防止して上記の暖房を継続するようにしたものである。
【００１７】
デフロスト運転はせずに、空気熱交換器４の霜取りは霜が付着する前に電気ヒータ１０の発熱で行うので、暖房が途中で中断することがなく、極めて使用勝手が良いものであり、
更に電気ヒータの熱は送風ファンの逆回転で空気熱交換器へ向かって送風され、効率よく確実に霜取りが行え、暖房や湯沸かし運転に影響がなく良好に継続されるものである。
【００１８】
尚、ここでは二次側の循環回路１５に放熱器１２を備えたが、貯湯タンクを備え順次高温水を貯湯し、必要に応じて給水と混合しながら設定温度の温水にして給湯するようにしても良いものである。
【図面の簡単な説明】
【００１９】
【図１】この発明の一実施形態を示すヒートポンプ装置の概略説明図。
【符号の説明】
【００２０】
１  圧縮機
２  冷媒熱交換器
３  減圧手段
４  空気熱交換器
６  冷媒回路
７  送風ファン
８  電気ヒータ
９  外気温センサ
１０  制御回路
【図１】
2007170695.tif 000003